(57)【要約】【課題】操作対象の切替えと設定変更とをより容易に実施し得る使用勝手の良い車両用のコントローラを提供すること。【解決手段】操作ダイヤル３の位置を変更することによって、複数の操作対象の中から１つの操作対象を選択可能に構成し、操作対象を選択した状態で操作ダイヤル３を回転操作することによって選択した操作対象の設定を変更可能に構成し、選択した操作対象の設定状況を表示部２に表示させるように構成しており、操作ダイヤル３の位置を変更して複数の操作対象の中の１つの操作対象の選択を解除すると、選択を解除した操作対象の設定状況を記憶し、再び操作ダイヤル３の位置を変更して操作対象を選択すると、記憶された操作対象の設定状況を表示部２に表示する記憶手段を備えるコントローラ１。【選択図】図１
2010076495.tif 000002
【特許請求の範囲】
【請求項１】
操作対象の設定状況を表示する表示部と、回転操作可能な操作ダイヤルとを備えるコントローラにおいて、
前記操作ダイヤルの位置を変更することによって、複数の操作対象の中から１つの操作対象を選択可能に構成し、前記操作対象を選択した状態で前記操作ダイヤルを回転操作することによって選択した前記操作対象の設定を変更可能に構成し、選択した前記操作対象の設定状況を前記表示部に表示させるように構成しており、
前記操作ダイヤルの位置を変更して前記複数の操作対象の中の１つの操作対象の選択を解除すると、選択を解除した前記操作対象の設定状況を記憶し、再び前記操作ダイヤルの位置を変更して前記操作対象を選択すると、記憶された前記操作対象の設定状況を前記表示部に表示する記憶手段を備えるコントローラ。
【発明の詳細な説明】
【技術分野】
【０００１】
本発明は、操作対象の設定状況を表示する表示部と、回転操作可能な操作ダイヤルとを備えるコントローラに関するものである。
【背景技術】
【０００２】
従来の技術としては、例えば特許文献１の図１に開示されているように、風向き、吹出温度、風量というそれぞれ異なる操作対象を割り当てられた複数のプッシュスイッチ１０と、プッシュスイッチ１０の下部にあるダイヤルノブ３０と、ダイヤルノブ３０の周囲を略囲むように位置する動作表示部２０とを備える車両用空調コントローラが知られている。
【特許文献１】特開２００６−１９９１９９号公報
【発明の開示】
【発明が解決しようとする課題】
【０００３】
特許文献１に開示される車両用空調コントローラでは、先ずプッシュスイッチ１０のいずれかを選択して押し操作し、動作表示部２０を見ながらダイヤルノブ３０を回転操作することによって、選択した操作対象の設定を変更するように構成されている。
そのため、複数の操作対象の設定を続けて変更しようとする場合には、操作対象を切替えようとするたびに、ダイヤルノブ３０から一旦手を離して、別の操作対象のプッシュスイッチ１０を押し操作して、再びダイヤルノブ３０を回転操作して当該別の操作対象の設定を変更するという操作を実施しなければならない。
【０００４】
本発明は、上記実情に鑑みてなされたものであって、その目的は、操作対象の切替えと設定変更とをより容易に実施し得る使用勝手の良い車両用のコントローラを提供することにある。
【課題を解決するための手段】
【０００５】
上記の目的を達成するため、本発明では、
操作対象の設定状況を表示する表示部と、回転操作可能な操作ダイヤルとを備えるコントローラにおいて、
前記操作ダイヤルの位置を変更することによって、複数の操作対象の中から１つの操作対象を選択可能に構成し、前記操作対象を選択した状態で前記操作ダイヤルを回転操作することによって選択した前記操作対象の設定を変更可能に構成し、選択した前記操作対象の設定状況を前記表示部に表示させるように構成しており、
前記操作ダイヤルの位置を変更して前記複数の操作対象の中の１つの操作対象の選択を解除すると、選択を解除した前記操作対象の設定状況を記憶し、再び前記操作ダイヤルの位置を変更して前記操作対象を選択すると、記憶された前記操作対象の設定状況を前記表示部に表示する記憶手段を備えることを特徴とする。
【０００６】
〔作用及び効果〕
本発明のコントローラによれば、乗員は、操作ダイヤルを持ってその位置を変更することによって操作対象を切替え、そのまま操作ダイヤルを回転操作することによって操作対象の設定を変更することができる。
即ち、乗員は、操作対象の切替えと設定変更とを操作ダイヤルの操作だけで実施することができるので、操作対象を切替える際に操作ダイヤルからいちいち手を離す必要がなく、使用勝手が良い。その上、従来のコントローラとは異なり、操作対象を切替えるためのプッシュスイッチを必要としないので、構造も簡易であり、製造コスト的にも有利である。
【０００７】
さらに、本発明のコントローラは、表示部と記憶手段とを備えるので、操作ダイヤルの位置を変更して別の操作対象に切替えても、乗員が再び前の操作対象を選択すると、記憶手段に記憶された前の操作対象に関する設定状況を、表示部を介して正確に知ることができる。
【０００８】
例えば、操作対象が空調に関する「吹出温度」及び「風向き」である場合、操作ダイヤルを操作して吹出温度を２５℃に設定した後、操作ダイヤルの位置を変更して操作対象を「吹出温度」から「風向き」に切り替えた際、吹出温度の２５℃という設定状況が記憶手段に記憶される。そして、操作ダイヤルの位置を変更して、再び操作対象を吹出温度に切替えると、記憶手段に記憶されている２５℃という設定状況が表示部に表示される。尚、上記操作において、操作対象を風向きに切替えたときも同様に、風向きに関する前の設定状況が表示部に表示される。
【０００９】
そのため、乗員は操作ダイヤルを右又は左のいずれの方向に回転操作すべきか等を判断し易く、設定変更操作を実施し易い。
【発明を実施するための最良の形態】
【００１０】
以下に本発明の実施の形態を図面に基づいて説明する。
〔実施形態〕
本発明のコントローラの実施形態について、図１乃至図７に基づいて説明する。
尚、各図に適宜記す矢印ＦＲ、矢印ＵＰ、矢印Ｗは、それぞれ車両の前方向（進行方向）、上方向、車幅方向（左右方向）を示す。
【００１１】
図１は、本発明のコントローラを、車両の空調を行う車両用空調コントローラ１として使用したときの状態を示す。
図２は、車両用空調コントローラ１の正面図である。図２中に示される矢印は、操作ダイヤル３の移動方向を示す。
図３は、車両用空調コントローラ１の横断面図である。図３中に示される矢印は、操作ダイヤル３の移動方向を示す。
図４（ａ）及び（ｂ）は、車両用空調コントローラ１の縦断面図を示す。図４（ａ）は、操作ダイヤル３の係合凸部３ｃがボリューム軸９ｂの被係合凹部１０ｂに係合し、操作ダイヤル３の位置がロックノブ４により固定（ロック）されている状態を示しており、図４（ｂ）は、ロックノブ４によるロックが解除されている状態を示す。図４（ｂ）中に示される白抜きの矢印は、乗員によるロックノブ４の押下げ方向を示す。
図５は、表示部２ａにおける風量の設定変更画面を示す図である。
図６は、表示部２ｂにおける風向きの設定変更画面を示す図である。
図７は、表示部２ｃにおける温度の設定変更画面を示す図である。
【００１２】
本実施形態におけるコントローラ１は、風量、風向き、吹出温度を調整する図示しない空調ユニット、及び図示しない各種センサー等と共に車両用空調装置を構成する。
コントローラ１に入力した風量、風向き、及び吹出温度に関する指令信号のそれぞれが、コントローラ１の制御部に出力され、制御部はこれらの指令信号と各種センサーの検出信号に基づいて空調ユニットを制御すると共に、コントローラ１の表示部２の表示内容を制御する。
【００１３】
図１〜図３に示すように、コントローラ１は、操作対象の設定状況を表示する表示部２、回転操作可能な操作ダイヤル３、操作ダイヤル３を左右方向にスライド移動可能に支持するカバー部材５、コントローラ１をインストルメントパネル１１の所定位置に嵌め込んで設置するための接続部８、及び、空調ユニットの動作を制御する図示しない制御部を備えて構成されている。
【００１４】
表示部２は、接続部８の上面に設置され、発光インジケータを備えて構成されており、表示部２ａ，２ｂ，２ｃのそれぞれは、風量、風向き、吹出温度という３種類の操作対象の設定状況を表示する。
【００１５】
図４（ａ），（ｂ）に示すように、操作ダイヤル３は、乗員がその手で直接回転操作する円形部３ａと、円形部３ａよりも小径の軸部３ｂと、操作ダイヤル３の位置固定を担うロックノブ４とを備える。
軸部３ｂは、円形部３ａの円の中心に設けられており、中間部に係止溝３ｄが形成され、先端部に傘歯状の係合凸部３ｃが形成されている。
ロックノブ４は、合成樹脂等で構成され階段状に成形されており、その一端に抜け止め部４ｃを有し、中間部に操作ダイヤル３の係止溝３ｄに外嵌可能なＣ字状凹溝部４ａを有し、他端に乗員が操作する押下部４ｂを有する。
【００１６】
図３及び図４（ａ），（ｂ）に示すように、カバー部材５は、開口５ａを有する箱型形状をなし、開口５ａと相対する側壁５ｂには、左右方向に延びる貫通溝６が設けられている。カバー部材５の内側には、３つの半球形状部７ａを有するガイド板７が設けられている。３つの半球形状部７ａは左右方向に並設されており、各半球形状部７ａの中心には、貫通孔７ｂが設けられている。
【００１７】
図３及び図４（ａ），（ｂ）に示すように、接続部８には、その軸心周りに回転可能に構成される３つのボリューム軸９ａ，９ｂ，９ｃが設けられており、各ボリューム軸９ａ，９ｂ，９ｃの先端部には、放射状の縦溝を有するすり鉢状の被係合凹部１０ａ，１０ｂ，１０ｃが形成されている。尚、各被係合凹部１０ａ，１０ｂ，１０ｃは、操作ダイヤル３の軸部３ｂの係合凸部３ｃと係合し得るように構成されている。
【００１８】
図２に示すように、３つのボリューム軸９ａ，９ｂ，９ｃのそれぞれは、風量設定、風向き設定、吹出温度設定に対応するものであり、表示部２ａ，２ｂ，２ｃの下方に設けられている。
【００１９】
図３及び図４（ａ），（ｂ）に示すように、カバー部材５の開口５ａの縁を、接続部８に設けられている段部８ａに嵌め込むことによって、カバー部材５が接続部８に固定されると共に、カバー部材５内のガイド板７に設けられている３つの貫通孔７ｂの中に、ボリューム軸９ａ，９ｂ，９ｃの被係合凹部１０ａ，１０ｂ，１０ｃがそれぞれ配置されるように構成されている。
【００２０】
図４（ａ）に示すように、カバー部材５の貫通溝６はカバー部材５の厚み方向に貫通しており、操作ダイヤル３の軸部３ｂが、その係止溝３ｄにロックノブ４を外嵌した状態で貫通溝６に設置されるように構成されている。
【００２１】
例えば、図２に示すように、操作ダイヤル３を、風向きを表示する表示部２ｂの下に設定したとき、ロックノブ４が上方に付勢された状態で貫通溝６の上側内壁溝６ａ内に入り込んで当接すると共に、軸部３ｂが貫通溝６の下側内壁６ｂに当接して、貫通溝６における操作ダイヤル３の位置が固定（ロック）される。
【００２２】
また図４（ｂ）に示すように、ロックノブ４の押下部４ｂを指で押下げると、ロックノブ４が上側内壁溝６ａから外れてロックが解除される。そして、押下部４ｂを指で押下げたまま操作ダイヤル３を少し手前（後方）に引いて、操作ダイヤル３の係合凸部３ｃとボリューム軸９ｂの被係合凹部１０ｂとの係合を外すと、操作ダイヤル３を貫通溝６に沿ってスライド移動させることができるようになる。尚、操作ダイヤル３を手前に引き過ぎても、ロックノブ４の抜け止め部４ｃが側壁５ｂに引っ掛かるように構成されているので、操作ダイヤル３が貫通溝６から抜け落ちることはない。
【００２３】
即ち本実施形態においては、ロックノブ４の押下部４ｂを指で押下げながら操作ダイヤル３を貫通溝６に沿ってスライド移動させてその位置を変更し、操作ダイヤル３の軸部３ｂの係合凸部３ｃを、３つのボリューム軸９ａ，９ｂ，９ｃのいずれかの被係合凹部１０ａ，１０ｂ，１０ｃと係合させることによって、風量、風向き、吹出温度という３つの操作対象の中から１つの操作対象を選択することができる。
【００２４】
例えば、操作対象を風量から風向きに切替えて、風向きの設定を変更するような場合、先ず、操作ダイヤル３を、ロックノブ４の押下部４ｂを人差し指で押下げながら、風量を表示する表示部２ａから風向きを表示する表示部２ｂの下までスライド移動させる（図２参照）。
そして、人差し指を離すと、ロックノブ４が貫通溝６の上側内壁溝６ａに当接すると共に、軸部３ｂが貫通溝６の下側内壁６ｂに当接して操作ダイヤル３の位置が固定される（図４（ａ）参照）。このとき、操作ダイヤル３の軸部３ｂの係合凸部３ｃと、ボリューム軸９ｂの被係合凹部１０ｂとが係合して、操作ダイヤル３とボリューム軸９ｂとが接続された状態となる。
【００２５】
尚、操作ダイヤル３をスライド移動させる際、軸部３ｂの係合凸部３ｃは、ガイド板７の半球形状部７ａによって半球形状部７ａの貫通孔７ｂへガイドされるため、軸部３ｂの係合凸部３ｃと、ボリューム軸９ｂの被係合凹部１０ｂとを容易に係合させることができる（図３参照）。
【００２６】
次いで、操作ダイヤル３の円形部３ａを回転操作することによって軸部３ｂを回転させる。すると、軸部３ｂの回転動作がボリューム軸９ｂへと伝えられてボリューム軸９ｂが回転し、ボリューム軸９ｂの回転動作が指令信号に変換されて図示しない制御部に出力される。尚、操作ダイヤル３を回転操作する際、ロックノブ４は、貫通溝６の上側内壁溝６ａによって掛止されるので共回りせず、操作ダイヤル３の円形部３ａと軸部３ｂだけが回転するように構成されている。
【００２７】
その結果、風向きの設定が変更されて、その設定状況が表示部２ｂに表示される。本実施形態においては、図６に示すように、操作ダイヤル３を回転操作することによって、風向きを４段階で自在に変更することができる。
【００２８】
操作対象を風量又は吹出温度に切替えてそれらの設定を変更する場合も、上述と同様に操作することによって、図５及び図７に示すように、所望する風量又は吹出温度に自在に変更することができる。
【００２９】
また、コントローラ１の図示しない制御部は、記憶手段を備えて構成されている。
記憶手段は、操作ダイヤル３の位置を変更して複数の操作対象の中の１つの操作対象の選択を解除すると、選択を解除した操作対象の設定状況を記憶し、再び操作ダイヤル３の位置を変更して操作対象を選択すると、記憶された操作対象の設定状況を表示部２に表示するように構成されている。
【００３０】
例えば、風向きを図６（ａ）に示す状態（ＤＥＦ/ＦＯＯＴ）に設定した後、操作ダイヤル３を移動させて操作対象を風量又は吹出温度に切替えた際、図６（ａ）の設定状況（ＤＥＦ/ＦＯＯＴ）が記憶手段に記憶される。そして、操作ダイヤル３を移動させて、再び操作対象を風向きに切替えると、記憶手段に記憶されている図６（ａ）の設定状況（ＤＥＦ/ＦＯＯＴ）が表示部２ｂに表示される。尚、上記操作において、操作対象を風量又は吹出温度に切替えたときも同様に、風量又は吹出温度に関する前の設定状況が表示部２ａ又は表示部２ｃにそれぞれ表示される。
【００３１】
以上より、本発明のコントローラ１によれば、操作対象の切替えと設定変更とを操作ダイヤル３の操作だけで実施することができるので、乗員は、操作対象を切替える際に操作ダイヤル３からいちいち手を離す必要がなく、使用勝手が良い。その上、従来のコントローラとは異なり、操作対象を切替えるためのプッシュスイッチを必要としないので、構造も簡易であり、製造コスト的にも有利である。
【００３２】
さらに、本発明のコントローラ１は記憶手段を備えるため、操作ダイヤル３の位置を変更して別の操作対象に切替えても、乗員が再び前の操作対象を選択すると、記憶手段に記憶された前の操作対象に関する設定状況を、表示部２を介して正確に知ることができる。そのため、乗員は操作ダイヤル３を右又は左のいずれの方向に回転操作すべきか等を判断し易く、設定変更操作を実施し易い。
【００３３】
〔別実施形態〕
〔１〕前述の実施形態における操作対象が、ＦＭ放送、ＡＭ放送、又はＴＶ放送の設定に関するものであっても良い。
〔２〕前述の実施形態における操作ダイヤルは、左右方向にスライド移動させることによって操作対象を選択するが、この構成に限定されるものではなく、他にも例えば、操作ダイヤルの軸部先端を支点として、操作ダイヤルの設置角度を変更することによって、操作対象を選択するような構成としても良い。
【図面の簡単な説明】
【００３４】
【図１】本発明のコントローラを、車両の空調を行う車両用空調コントローラとして使用したときの状態を示す図
【図２】図１に示す車両用空調コントローラの正面図
【図３】図２の矢視線ＩＩＩ−ＩＩＩにおける横断面図
【図４】図３の矢視線ＩＶ−ＩＶにおける縦断面図
【図５】表示部における風量の設定変更画面を示す図
【図６】表示部における風向きの設定変更画面を示す図
【図７】表示部における温度の設定変更画面を示す図
【符号の説明】
【００３５】
１    コントローラ
２    表示部
３    操作ダイヤル
３ａ  円形部
３ｂ  軸部
３ｃ  係合凸部
４    ロックノブ
４ａ  Ｃ字状凹溝
４ｂ  押下部
４ｃ  抜け止め部
５    カバー部材
５ａ  開口
５ｂ  側壁
６    貫通溝
６ａ  上側内壁溝
６ｂ  下側内壁
７    ガイド板
７ａ  半球形状部
７ｂ  貫通孔
８    接続部
８ａ  段部
９    ボリューム軸
１０  被係合凹部
１１  インストルメントパネル
【図１】
2010076495.tif 000003
【図２】
2010076495.tif 000004
【図３】
2010076495.tif 000005
【図４】
2010076495.tif 000006
【図５】
2010076495.tif 000007
【図６】
2010076495.tif 000008
【図７】
2010076495.tif 000009